(57)【要約】本発明はワイヤレス遠隔通信ネットワーク内の制御エンティティに無線リソースクォータを割り振る方法であって、制御エンティティが基地局の無線リソース使用を制御するように適合される方法において、無線ネットワークエンティティによって実施される方法に関する。
2010536209.tif 000002
【特許請求の範囲】
【請求項１】
ワイヤレス遠隔通信ネットワーク内の制御エンティティ（１０４；１０６）に無線リソースクォータを割り振る方法であって、前記制御エンティティ（１０４；１０６）が基地局（１０８；１１０）の無線リソース使用を制御するように適合され、該方法は無線ネットワークエンティティ（１０２）によって実施され、該方法は、
サービスセンター（１００）から無線リソース要求を受信するステップであって、前記サービスセンター（１００）が前記基地局（１０８；１１０）にブロードキャストサービス又はマルチキャストサービスを提供するように適合されている、ステップ、
受信した前記無線リソース要求を解析することによって前記無線リソースクォータを求めるステップ、
前記サービスセンター（１００）にリソース参照を提供するステップであって、前記リソース参照が、受信した前記無線リソース要求に応答して発行され、前記リソース参照が前記基地局（１０８；１１０）を通じてブロードキャストサービス又はマルチキャストサービスを提供するために、前記クォータ内に含まれる前記無線リソースを使用することを前記サービスセンター（１００）に許可する、ステップ、及び
前記制御エンティティ（１０４；１０６）にマッピング情報を提供するステップであって、前記マッピング情報が前記リソース参照及び前記無線リソースクォータを含み、前記リソース参照が前記無線リソースクォータに関連付けられる、ステップ
を備える方法。
【請求項２】
請求項１の方法において、前記無線リソースクォータの割振りが基地局（１０８；１１０）の単一周波数ネットワーク（ＳＦＮ）操作について実施される、方法。
【請求項３】
サービスセンター（１００）により、ワイヤレス遠隔通信ネットワーク内の基地局（１０８；１１０）にブロードキャストサービス又はマルチキャストサービスを提供する方法であって、
無線ネットワークエンティティ（１０２）に無線リソース要求を提供するステップ、
前記無線ネットワークエンティティ（１０２）からリソース参照を受信するステップであって、前記リソース参照が、提供された前記リソース要求に応答して受信され、前記リソース参照が前記基地局（１０８；１１０）を通じてブロードキャストサービス又はマルチキャストサービスを提供する前記クォータに関連する無線リソースクォータを使用することを前記サービスセンター（１００）に許可する、ステップ、
制御エンティティ（１０４；１０６）への前記サービスの伝送を求める要求を提供するステップであって、前記制御エンティティ（１０４；１０６）が前記基地局（１０８；１１０）の無線リソース使用を制御するように適合され、送信を求める前記要求が前記リソース参照を含む、ステップ、及び
前記基地局（１０８；１１０）に前記サービスを提供するステップ
を備える方法。
【請求項４】
請求項３の方法において、
前記無線リソース要求が第１の所望の帯域幅及び／又は第１の所望の空間サービスエリア及び／又は第１の所望の時間スケジュールを含み、並びに／又は
伝送を求める前記要求が第２の所望の帯域幅及び／又は第２の所望の空間サービスエリア及び／又は第２の所望の時間スケジュールをさらに含む、方法。
【請求項５】
請求項４の方法において、前記サービスを提供するために、
所望の第１空間サービスエリア及び／又は前記第１の所望の時間スケジュールについて前記リソース参照が有効であり、
前記第２空間サービスエリアが前記第１空間サービスエリアの一部である場合に、前記第２空間サービスエリアについて前記リソース参照が有効であり、並びに／又は
前記第２時間スケジュールが前記第１時間スケジュールの一部である場合に、前記第２時間スケジュールについて前記リソース参照が有効である、方法。
【請求項６】
ワイヤレス遠隔通信ネットワーク内のユーザ装置（ＵＥ；１１２）にブロードキャストサービス又はマルチキャストサービスを送信する基地局（１０８；１１０）を構成する方法であって、該方法が制御エンティティ（１０４；１０６）によって実施され、該方法が、
ネットワークオペレータからマッピング情報を受信するステップであって、前記マッピング情報がリソース参照及び無線リソースクォータを含み、前記リソース参照が前記無線リソースクォータに関連付けられ、前記リソース参照が前記基地局（１０８；１１０）を通じてブロードキャストサービス又はマルチキャストサービスを提供するために、前記クォータ内に含まれる無線リソースを使用することをサービスセンター（１００）に許可し、前記サービスセンター（１００）が前記基地局（１０８；１１０）に前記ブロードキャストサービス又はマルチキャストサービスを提供するように適合されている、ステップ、
前記サービスの伝送を求める要求を前記サービスセンター（１００）から受信するステップであって、伝送を求める前記要求が前記リソース参照を含む、ステップ、及び
前記基地局（１０８；１１０）に無線リソースを割り振ることによって前記基地局（１０８；１１０）を構成するステップであって、前記無線リソースの割振りが前記無線リソースクォータを使用して実施される、ステップ
を備える方法。
【請求項７】
ワイヤレス遠隔通信ネットワーク内の制御エンティティ（１０４；１０６）に無線リソースクォータを割り振るように適合された無線ネットワークエンティティ（１０２）であって、前記制御エンティティ（１０４；１０６）が基地局（１０８；１１０）の無線リソース使用を制御するように適合される、無線ネットワークエンティティ（１０２）において、
サービスセンター（１００）から無線リソース要求を受信する手段（１３０）であって、前記サービスセンター（１００）が前記基地局（１０８；１１０）にブロードキャストサービス又はマルチキャストサービスを提供するように適合されている、手段（１３０）、
前記無線リソースクォータを求める手段（１２６）であって、受信した前記無線リソース要求を解析するように適合される手段（１２６）、
前記サービスセンター（１００）にリソース参照を提供する手段（１２８）であって、受信した前記無線リソース要求に応答して前記リソース参照を発行するように適合され、前記リソース参照が前記基地局（１０８；１１０）を通じてブロードキャストサービス又はマルチキャストサービスを提供するために前記クォータ内に含まれる前記無線リソースを使用することを前記サービスセンターに許可する、手段（１２８）、及び
前記制御エンティティ（１０４；１０６）にマッピング情報を提供する手段（１２８）であって、前記マッピング情報が前記リソース参照及び前記無線リソースクォータを含み、前記リソース参照が前記無線リソースクォータに関連付けられる、手段（１２８）
を備えた無線ネットワークエンティティ（１０２）。
【請求項８】
ワイヤレス遠隔通信ネットワーク内の基地局（１０８；１１０）にブロードキャストサービス又はマルチキャストサービスを提供するように適合されるサービスセンター（１００）であって、
無線ネットワークエンティティ（１０２）に無線リソース要求を提供する手段（１３８）、
前記無線ネットワークエンティティ（１０２）からリソース参照を受信する手段（１４２）であって、提供された前記リソース要求に応答して前記リソース参照を受信するように適合され、前記リソース参照が前記基地局（１０８；１１０）を通じてブロードキャストサービス又はマルチキャストサービスを提供する前記クォータに関連する無線リソースクォータを使用することを前記サービスセンター（１００）に許可する、手段（１４２）、
制御エンティティ（１０４；１０６）への前記サービスの伝送を求める要求を提供する手段（１３８）であって、前記制御エンティティ（１０４；１０６）が前記基地局（１０８；１１０）の無線リソース使用を制御するように適合され、送信を求める前記要求が前記リソース参照を含む、手段（１３８）、及び
前記基地局（１０８；１１０）に前記サービスを提供する手段（１４０）
を備えたサービスセンター（１００）。
【請求項９】
ワイヤレス遠隔通信ネットワーク内のユーザ装置（ＵＥ；１１２）にブロードキャストサービス又はマルチキャストサービスを送信する基地局（１０８；１１０）を構成するように適合された制御エンティティ（１０４；１０６）であって、
ネットワークエンティティからマッピング情報を受信する手段（１５２）であって、前記マッピング情報がリソース参照及び無線リソースクォータを含み、前記リソース参照が前記無線リソースクォータに関連付けられ、前記リソース参照が前記基地局（１０８；１１０）を通じてブロードキャストサービス又はマルチキャストサービスを提供するために前記クォータ内に含まれる無線リソースを使用することをサービスセンター（１００）に許可し、前記サービスセンター（１００）が前記基地局（１０８；１１０）に前記ブロードキャストサービス又はマルチキャストサービスを提供するように適合されている、手段（１５２）、
前記サービスの伝送を求める要求を前記サービスセンター（１００）から受信する手段（１５２）であって、伝送を求める前記要求が前記リソース参照を含む、手段（１５２）、及び
前記基地局（１０８；１１０）を構成する手段（１５４）であって、前記基地局（１０８；１１０）に無線リソースを割り振るように適合され、前記無線リソースの割振りが前記無線リソースクォータを使用して実施可能である、手段（１５４）
を備えた制御エンティティ（１０４；１０６）。
【請求項１０】
請求項１乃至２に記載の方法のステップのいずれかを実施し、又は請求項３乃至５に記載の方法のステップのいずれかを実施し、又は請求項６に記載の方法を実施するコンピュータ実行可能命令を含むコンピュータプログラム製品（１２６；１３６；１４８）。
【発明の詳細な説明】
【技術分野】
【０００１】
本発明はワイヤレス遠隔通信ネットワーク内の制御エンティティに無線リソースクォータを割り振る方法、ワイヤレス遠隔通信ネットワーク内の基地局にブロードキャストサービス又はマルチキャストサービスを提供する方法、ワイヤレス遠隔通信ネットワーク内のユーザ装置にブロードキャストサービス又はマルチキャストサービスを送信する基地局を構成する方法、無線ネットワークエンティティ、サービスセンター、制御エンティティ、及びコンピュータプログラム製品に関する。
【背景技術】
【０００２】
モバイル遠隔通信における困難な課題はビデオサービスのようなマルチメディアサービスをワイヤレスユーザに効率的な方式で提供することである。ここで、効率とは特に、ネットワークに割り振られる周波数帯のような、不足しており、コストの高い無線リソースを可能な限り多くのユーザ、及び可能な限り様々なサービスを無線周波数帯内で並列にサービスすることができるように効率的に使用することを指す。既存の第２世代ワイヤレスネットワークは音声サービスを効率的な方式でサポートするが、第３世代ワイヤレスシステム及びパケットベースのワイヤレスネットワークの目標は最も効果的な方式でデータ通信及びデータ配布のための最適なサービスを提供することである。１つの例は遠隔通信ネットワークを介して加入者に提供されるサービスであるモバイルＴＶである。モバイルＴＶは携帯電話又は一般にはユーザ装置（ＵＥ）にＴＶサービスを提供するものである。モバイルＴＶは携帯電話のサービスをテレビジョンコンテンツと組み合わせ、消費者と、オペレータとコンテンツプロバイダの両方に関する論理ステップを表す。
【０００３】
モバイルＴＶを、例えば新世代３Ｇ（ＷＣＤＭＡ／ＨＳＰＡ）ネットワークを使用して提供することができる。そのようなネットワークは、マスマーケットに対してモバイルＴＶサービスをスケールアップするために十分な容量を提供する。
【０００４】
サービスに応じて、ユニキャスト伝送技法又はブロードキャスト／マルチキャスト伝送技法を使用することにより、ネットワーク容量及び投資を最適化することができる。ブロードキャスト／マルチキャスト技法は、あるソースから多数の受信機に並列に（マルチメディア）データを供給しなければならないとき（例えば、人気のあるＴＶ番組）に適用可能である。ユニキャスト技法は、異なる通信エンティティ間でデータを交換しなければならないとき、又は１つ又はいくつかの受信機にデータを配布しなければならないとき（例えば、オンデマンドマルチメディアコンテンツ）に適用可能である。
【０００５】
想定される伝送モードの１つは、いわゆるＳＦＮ（Ｓｉｎｇｌｅ  Ｆｒｅｑｕｅｎｃｙ  Ｎｅｔｗｏｒｋ）動作を利用するものであり、ＳＦＮ動作では、ＭＢＳＦＮ（ＭＢＭＳ  ＳＦＮ）エリア内のすべてのセルが、同一の無線リソースを使用して同期式に同一のコンテンツを送信し、それによって受信側ＵＥが、物理層上で受信した信号を組み合わせることが可能となる。これにより、ＭＢＭＳユーザサービスの各セッションについて、無線リソース（例えば、無線ブロック、ＴＴＩ、．．．）及び物理層パラメータ（例えば、ＭＣＳ、即ち変調及び符合化方式）がすべてのセルで同一の方式で構成されることが必要となる。この目的で、マルチセル／マルチキャスト調整エンティティ（ＭＣＥ）を使用することができる。そのようなＭＣＥは１つ又は多数のｅＮＢ（基地局）に属するセルを制御することができる。しかし、単一のＭＣＥによって制御されるエリアを超えるようにＳＦＮエリアが選ばれる場合、こうしたＭＣＥ間の調整が必要となる。
【０００６】
ＭＢＳＦＮエリアは、複数のセルから同時に同一の波形を送信することによって実現される同時伝送技法によって調整される１群のセルからなる。この調整はＭＢＭＳ調整エンティティ（ＭＣＥ）によって実施されるが、非常に多数のｅＮＢと共に配置するために、調整インスタンスとして複数のＭＣＥを有することが必要となることがあり、一方、ＭＢＳＦＮ同期エリアが、特定のＭＣＥによって制御されるエリアを超えることがある。
【０００７】
この目的で、いくつかのスレーブＭＣＥを制御するマスタＭＣＥの概念が導入された。マスタＭＣＥの概念は、３ＧＰＰ  Ｔｄｏｃｓ  Ｒ３−０７０９６２、「ｐｒｉｎｃｉｐｌｅｓ  ｆｏｒ  ｒｅｓｏｕｒｃｅ  ａｌｌｏｃａｔｉｏｎ  ａｍｏｎｇ  ＳＦＮ  ａｒｅａｓ」、Ｑｕａｌｃｏｍｍ、及びＲ３−０７０６６１「ａｄｄｉｔｉｏｎａｌ  ｃｏｎｓｉｄｅｒａｔｉｏｎｓ  ｒｅｌａｔｅｄ  ｔｏ  ＭＢＭＳ  ｃｏｏｒｄｉｎａｔｉｏｎ」、三菱から得ることができる。
【先行技術文献】
【非特許文献】
【０００８】
【非特許文献１】３ＧＰＰ  Ｔｄｏｃｓ  Ｒ３−０７０９６２、「ｐｒｉｎｃｉｐｌｅｓ  ｆｏｒ  ｒｅｓｏｕｒｃｅ  ａｌｌｏｃａｔｉｏｎ  ａｍｏｎｇ  ＳＦＮ  ａｒｅａｓ」、Ｑｕａｌｃｏｍｍ
【非特許文献２】３ＧＰＰ  Ｔｄｏｃｓ  Ｒ３−０７０６６１「ａｄｄｉｔｉｏｎａｌ  ｃｏｎｓｉｄｅｒａｔｉｏｎｓ  ｒｅｌａｔｅｄ  ｔｏ  ＭＢＭＳ  ｃｏｏｒｄｉｎａｔｉｏｎ」、三菱
【発明の概要】
【発明が解決しようとする課題】
【０００９】
しかし、そのような概念は厳密に階層的にリソースを割り振ることを必要とし、又はあらゆるサービス及びあらゆるサービスのセッションに関する構成が必要であるので過度な構成労力を必要とする。ＭＣＥのうちの１つがマスタＭＣＥの役割を果たすように指名することによって階層が実装される場合であっても、このマスタと他のすべてのＭＣＥとの間でシグナリングリンクを構成するという問題が残る。しかし、シグナリング待ち時間を全般に最小限に抑え、遠隔通信ネットワークオペレータの構成及び運用の労力を最小限に抑えることが望ましい。
【課題を解決するための手段】
【００１０】
本発明は、ワイヤレス遠隔通信ネットワーク内の制御エンティティに無線リソースクォータを割り振る方法であって、制御エンティティが、基地局の無線リソース使用を制御するように適合される、方法において、無線ネットワークエンティティによって実施され、サービスセンターから無線リソース要求を受信することを含み、サービスセンターが、基地局にブロードキャストサービス又はマルチキャストサービスを提供するように適合される方法を提供する。この方法は、受信した無線リソース要求を解析することによって無線リソースクォータを求めること、及びサービスセンターにリソース参照を提供することをさらに含み、リソース参照が、受信した無線リソース要求に応答して発行され、リソース参照が、基地局を通じてブロードキャストサービス又はマルチキャストサービスを提供するために、クォータ内に含まれる無線リソースを使用することをサービスセンターに許可する。この方法は、制御エンティティにマッピング情報を提供することをさらに含み、マッピング情報はリソース参照及び無線リソースクォータを含み、リソース参照がリソースクォータに関連付けられる。
【００１１】
無線リソースクォータは、例えば、ＲＢ、ＴＴＩのようないくつかの無線リソース、及び無線伝送のために使用可能である変調及び符合化方式（ＭＣＳ）のような物理層構成パラメータを含むことができる。無線ネットワークエンティティは、例えば、運用及び保守の任を担う無線ネットワークオペレータでよい。好ましくは、制御エンティティは複数の基地局（ｅＮｏｄｅＢ）の無線リソースの使用を制御及び調整するように適合されるマルチセル／マルチキャスト調整エンティティ（ＭＣＥ）である。本発明による方法は、ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ（Ｅ−ＵＴＲＡＮ）内にｅＮｏｄｅＢ以外の余分な物理ノードのない「フラット」アーキテクチャを配置することができるという利点を有する。そのようなフラットアーキテクチャを得るために、ＥＰＣが無線認識不能（ｒａｄｉｏ−ａｇｎｏｓｔｉｃ）、即ち無線アクセスネットワークに関する詳細とは無関係でなければならないという原則を破ることなく、無線アクセスネットワーク情報を拡張パケットコア（ＥＰＣ）によって使用することのできるレベルに抽象化することが有利であり、その結果、ＥＰＣとは技術的に無関係に無線アクセスネットワークを開発、変更、及びアップグレードすることができ、それにより、ＥＰＣに干渉することなく無線アクセスネットワークのモジュラ交換が可能となる。さらに、そのような抽象化により、Ｏ＆Ｍ（運用及び保守）、例えばＥ−ＵＴＲＡＮの構成及び最適化をＥＰＣ及びサービスネットワークＯ＆Ｍとは無関係に行うことが可能となる。こうした独立性は、こうしたインフラストラクチャを様々な組織で運用するのを容易にする基本的要件である。
【００１２】
サービスセンターから無線リソース要求を受信し、受信した無線リソース要求を解析することによって無線リソースクォータを求めることにより、無線ネットワークエンティティとサービスセンターはＭＢＭＳベアラサービスに関する合意を協議又は決定することができる。それと共に、例えばオフライン構成段階中にサービスセンターによって表されるユーザサービスレベル機能と無線ネットワークエンティティとの間の調整を実施することができる。サービスセンターは、並列ＭＢＭＳセッションの数に関する制限、又はそのような並列サービスの合計ビットレートに関する制限についての知識を有する。これにより、一般には、サービスセンターによるＭＢＭＳベアラの初期化が、リソースの欠如のために失敗することがないことが保証される。
【００１３】
サービスセンターと無線ネットワークエンティティとの間のそのような調整のフレームでは、無線ネットワークエンティティはユーザサービスプロバイダと無線ネットワークエンティティとの間のサービスレベル合意を表すリソース参照をサービスセンターに提供する。この合意では、無線ネットワークエンティティは、サービスによって引き起こされるトラフィックが合意された境界、例えば決定される時間中の一定のサポートされる合計ビットレートによって表される境界以内にある限り、定義済みサービスエリア及び時間フレーム内のサービスセンターによって開始されるセッションのための十分なリソースを提供するという誓約を行う。
【００１４】
本発明の一実施形態によれば、無線リソース要求は第１の所望の帯域幅及び／又は第１の所望の空間サービスエリア及び／又は第１の所望の時間スケジュールを含む。それによって、サービスエリアを、例えばサービスエリアＩＤ（ＳＡＩ）のそれぞれのリストで表すことができる。それと共に、サービスセンターと無線ネットワークエンティティとの間で行われるＭＢＭＳベアラサービスに関する合意が、ＳＡＩ、Ｅ−ＭＢＭＳユーザサービスのために利用可能な合計ビットレート、時間の点での制限、及び場合によっては別の情報を含む。
【００１５】
要求された第１の所望の帯域幅に関して、無線ネットワークエンティティからのそれぞれのリソース参照についてサービスセンターが提供されるだけであり、サービスセンターについて、リソース参照はリソース参照によって提供される一定のビットレートと同等のものを表すだけである。無線ネットワークエンティティによって物理的に割り当てられるリソースはサービスセンターには知られていない。しかし、所与のリソース参照を、そのようなリソース参照に関連するサービスを提供する基地局で使用すべきそれぞれの無線リソースに関連付けるために、無線ネットワークエンティティはさらに、マッピング情報と共に制御エンティティ（ＭＣＥ）を構成し、マッピング情報はそれぞれの無線リソースクォータに対するリソース参照のマッピングを含む。
【００１６】
受信した無線リソース要求を解析することによって無線リソースクォータを求めるために、無線ネットワークエンティティは他のサービスセンターから受信した別の無線リソース要求をも考慮し、解析することに留意されたい。これにより、リソース参照によって無線リソースクォータをサービスセンターに非常に柔軟に割り振ることが可能になる。
【００１７】
本発明の一実施形態によれば、マッピング情報は、第１空間サービスエリア及び／又は第１時間スケジュールをさらに含む。これは、制御エンティティがサービスセンターからのサービスの伝送を求める要求と共にリソース参照を受信している場合に利点を有し、制御エンティティは、要求されたサービスの伝送が、要求された空間サービスエリア内のサービスの伝送に関して、又は要求された時間スケジュール中に（リソース参照に関して）有効であるかどうかを制御エンティティ自体で判定することができる。
【００１８】
本発明の一実施形態によれば、無線リソースクォータの割振りが、基地局の単一周波数ネットワーク（ＳＦＮ）動作に関して実施される。それと共に、様々な制御エンティティによって制御される多数の基地局を、ＰＴＭ−ＭＣ（ポイントトゥマルチポイント・マルチセル）伝送を使用して、調整された方式で同一のサービスを提供するように操作することができる。それと共に、参加セルがＭＢＭＳコンテンツの伝送を同期しており、それと共にＳＦＮ（単一周波数ネットワーク）動作による干渉がかなり低減されている。リソース参照はＰＴＭ−ＳＣ（ポイントトゥマルチポイント単一セル）及びユニキャスト伝送モードに対しては使用されない。こうしたモードでは、それぞれの無線リソースクォータ又は無線リソースが基地局自体でスケジューリングされる。
【００１９】
本発明の一実施形態によれば、この方法は、無線リソースクォータを１組の無線リソースクォータ部分に分割することをさらに含み、その１組の無線リソースクォータ部分の各無線リソースクォータ部分が第１帯域幅の帯域幅部分に関連付けられる。この方法は、各無線リソースクォータ部分について、別のリソース参照を発行すること、その別のリソース参照をサービスセンターに提供すること、及び別のマッピング情報を制御エンティティに提供することをさらに含み、その別のマッピング情報は別のリソース参照及び１組の無線リソースクォータ部分を含み、別のリソース参照のそれぞれがそれぞれの無線リソースクォータ部分に関連付けられる。これにより、単に１つの所与の無線リソースクォータに関連する１つの所与のリソース参照を発行する代わりに、無線ネットワークエンティティで多数のリソース参照を発行することができ、次にリソース参照を使用し、必要ならサービスセンターでリソース参照を組み合わせて、ＭＢＭＳサービスの伝送のために、それぞれの帯域幅に関連する最も適切なリソース参照を個々に選択することができるので、非常に柔軟な帯域幅割振りが可能となる。それにより、順序グラフ（例えばツリー）のような数学的構造でリソース参照を編成することができ、順序グラフでは、ノードの割振りがすべての後継の割振りを示唆する。そのようなグラフの各ノードに、それぞれのビットレートを表す一定の重みを割り振ることができる。
【００２０】
別の態様では、本発明は、サービスセンターにより、ワイヤレス遠隔通信ネットワーク内の基地局にブロードキャストサービス又はマルチキャストサービスを提供する方法であって、無線ネットワークエンティティに無線リソース要求を提供すること、無線ネットワークエンティティからリソース参照を受信することを含み、リソース参照が、提供されたリソース要求に応答して受信され、リソース参照が、基地局にブロードキャストサービス又はマルチキャストサービスを提供するクォータに関連する無線リソースクォータを使用することをサービスセンターに許可する方法に関する。この方法は、制御エンティティへのサービスの伝送を求める要求を提供することであって、制御エンティティが、基地局の無線リソース使用を制御するように適合され、送信を求める要求がリソース参照を含むこと、及び基地局にサービスを提供することをさらに含む。
【００２１】
それによって、サービスセンターにとって、実際のどの無線リソースクォータがリソース参照に関連付けられるかが透過的となる。サービスセンターは、基地局を介するサービスセンターによるサービスの伝送のために所与のリソース参照に対して無線ネットワークエンティティによって割り振られる帯域幅の点で等価なものを認識するだけである。
【００２２】
リソース参照はセッション又はサービス特有のものである必要はないことに留意されたい。その範囲は特定のエリアをカバーするだけではなく、サービスエリア全体（例えば、ｐｕｂｌｉｃ  ｌａｎｄ  ｍｏｂｉｌｅ  ｎｅｔｗｏｒｋ、ＰＬＭＮ）をカバーすることもできる。これにより、サービスレベル合意を可能な限り一般的に保ち、関連する構成の労力を最小限に保つことが可能となる。サービスセンターはＭＢＭＳベアラを開始することを意図する実際のセッションに適切なリソース参照をリンクする。
【００２３】
本発明の一実施形態によれば、無線リソース要求は第１の所望の帯域幅及び／又は第１の所望の空間サービスエリア及び／又は第１の所望の時間スケジュールを含み、並びに／又は伝送を求める要求は第２の所望の帯域幅及び／又は第２の所望の空間サービスエリア及び／又は第２の所望の時間スケジュールをさらに含む。それによって、サービスを提供するために、所望の第１空間サービスエリア及び／又は第１の所望の時間スケジュールについてリソース参照が有効であり、第２空間サービスエリアが第１空間サービスエリアの一部である場合に、第２空間サービスエリアについてリソース参照が有効であり、並びに／又は第２時間スケジュールが第１時間スケジュールの一部である場合に、第２時間スケジュールについてリソース参照が有効である。
【００２４】
これは、サービスセンターが、空間サービスエリアにわたって、又は時間の点で、関連する伝送帯域幅又は無線リソースクォータを伴う１つの所与のリソース参照を共有することができるという利点を有する。例えば、サービスセンターは１つの所与のリソース参照を使用して、重複しないが、どちらも無線ネットワークエンティティによってリソース参照が発行された第１空間サービスエリアの一部である、２つの空間サービスエリアに同時にサービスを提供することを決定することができる。時間の点での共有に関して、サービスセンターは、重複しないが、どちらもリソース参照が無線ネットワークエンティティによって発行された時間枠の一部である２つの時間枠にわたって同じリソース参照を使用することができる。
【００２５】
別の代替実施形態では、サービスセンターは複数のリソース参照を組み合わせることを許可される。例えば、これにより、サービスセンターが、複数のリソース参照に関連する複数のサービスエリアを組み合わせて１つの「大きい」共通のサービスエリアを得ることが可能となる。さらに、リソース参照を組み合わせることにより、複数の短い時間スケジュールを組み合わせて１つの「拡張」時間スケジュールを得ることが可能となる。これはまた、１つの所与のサービスエリアについての複数のリソース参照を組み合わせることをも含み、これにより、各リソース参照に関連する伝送帯域幅を合計した形で同時に使用することが可能となる。
【００２６】
別の態様では、本発明は、ワイヤレス遠隔通信ネットワーク内のユーザ装置（ＵＥ）にブロードキャストサービス又はマルチキャストサービスを送信する基地局を構成する方法であって、制御エンティティによって実施され、ネットワークオペレータからマッピング情報を受信することを含み、マッピング情報がリソース参照及び無線リソースクォータを含み、リソース参照が無線リソースクォータに関連付けられ、リソース参照が基地局を通じてブロードキャストサービス又はマルチキャストサービスを提供するために、クォータ内に含まれる無線リソースを使用することをサービスセンターに許可し、サービスセンターが基地局にブロードキャストサービス又はマルチキャストサービスを提供するように適合される方法に関する。この方法は、サービスの伝送を求める要求をサービスセンターから受信することであって、伝送を求める要求がリソース参照を含むこと、及び基地局に無線リソースを割り振ることによって基地局を構成することであって、無線リソースの割振りが無線リソースクォータを使用して実施されることをさらに含む。
【００２７】
本発明の一実施形態によれば、この方法は、サービスの伝送を求める要求に含まれる参照リソースがサービスの伝送について有効であるかどうかを判定することをさらに含み、リソース参照が有効である場合、基地局を構成することができ、リソース参照が無効である場合、基地局が構成されない。それによって、そのようなリソース参照の有効性が、ネットワークオペレータから提供されたマッピング情報を参照し直すことによって決定される。
【００２８】
リソース参照がサービスセンターから受信される場合、制御エンティティが、同じリソース参照が既に使用中であるか否かをチェックすることができる。リソース参照が既に使用中である場合、制御エンティティは例えば、受信されたリソース参照が、リソース参照が既に提供されているエリアと交差しない別のサービスエリアにブロードキャストされるサービスセッションのために再利用されるだけであるかどうかをチェックすることができる。この場合、その別のサービスエリアはサービスが既に提供されているエリアと交差せず、制御エンティティはその別のサービスエリアがリソース参照に対して元々割り振られたサービスエリア内に含まれるかどうかをさらにチェックすることができる。そうである場合、基地局を制御エンティティで構成することができる。
【００２９】
リソース参照に関連するマッピング情報を使用する基地局の構成のために、ＳＦＮ動作を使用する伝送モードが使用されることが有利であることを述べておく。基地局を調整する必要のない伝送モード、例えばＰＴＭ−ＳＣが使用される場合、リソース参照に関連する無線リソースクォータを使用する基地局の構成は実施されない。
【００３０】
以下では、図面への参照を行って、単なる例示として本発明の好ましい実施形態をより詳細に説明する。
【図面の簡単な説明】
【００３１】
【図１】ワイヤレス通信ネットワークのブロック図である。
【図２】制御エンティティに無線リソースクォータを割り振る方法を示す流れ図である。
【図３】基地局にサービスを提供する方法を示す流れ図である。
【図４】制御エンティティに無線リソースクォータを割り振る方法を示すスキームである。
【図５】ＭＢＭＳセッションの開始を要求する方法を示すスキームである。
【図６】ＭＣＥを構成する方法を示すスキームである。
【図７】リソース参照のツリー構造の編成を示すスキームである。
【発明を実施するための形態】
【００３２】
図１はワイヤレス通信ネットワークのブロック図を示す。ワイヤレス遠隔通信ネットワークはブロードキャスト／マルチキャストサービスセンター１００（ＢＭ−ＳＣ）、無線ネットワークエンティティ１０２（無線ネットワークオペレータ）、ＭＢＭＳ調整エンティティ１０４（ＭＣＥ）、及びＭＣＥ１０６を備える。ＭＣＥ１０４及び１０６はそれぞれ、基地局（ｅＮｏｄｅＢ）１０８及び１１０に接続される。各基地局１０８及び１１０はユーザ装置（ＵＥ）１１２にＭＢＭＳサービスを送信するように適合される。
【００３３】
この図１の例では、ｅＮｏｄｅＢ１０８がいくつかのＵＥ１１２を含むセル１１８にサービスし、ｅＮｏｄｅＢ１１０がいくつかのＵＥ１１２を含む別のセル１１６にサービスする。それによって、セル１１６及び１１８は隣接するセルである。
【００３４】
ＢＭ−ＳＣ１００はプロセッサ１３２、メモリ１３４を備え、メモリ１３４はモジュール１３６を備える。同様に、無線ネットワークエンティティ１０２はプロセッサ１２２、メモリ１２４を備え、メモリ１２４はモジュール１２６を備える。ＭＣＥ１０４及び１０６はそれぞれ、プロセッサ１４４、メモリ１４６を備え、メモリ１４６はモジュール１４８を備える。
【００３５】
セル１１６及びセル１１８内のユーザ装置１１２が同一のＭＢＭＳコンテンツを受信することを要求したと仮定すると、ｅＮｏｄｅＢ１０８及び１１０が同じ無線リソースを使用して前記ＭＢＭＳコンテンツを送信することが好ましいことがあり、このことはＭＢＭＳ  ＳＦＮ動作モードにあることを意味する。しかし、ｅＮｏｄｅＢ１０８がＭＣＥ１０４で制御され、ｅＮｏｄｅＢ１１０がＭＣＥ１０６で制御され、ＭＣＥ１０４及び１０６は互いに独立に動作している。このため、ＭＣＥ１０４と１０６の間の調整を実施しなければならない。
【００３６】
このことは無線ネットワークエンティティ１０２によって行われる。このため、ＢＭ−ＳＣ１００はその要求手段１３８を使用して無線ネットワークエンティティ１０２に要求を送信し、無線ネットワークエンティティ１０２はその要求手段１３０を使用して前記要求を受信する。モジュール１２６を使用することにより、無線ネットワークエンティティは受信した無線リソース要求を解析し、それぞれの無線リソースクォータを求める。無線ネットワークエンティティ１０２の送信手段１２８を使用して、リソース参照（トークン）が送信手段１２８を使用して、無線ネットワークエンティティ１０２によってＢＭ−ＳＣ１００に送信され、送信されたトークン（リソース参照）がＢＭ−ＳＣ１００のリソース参照受信手段１４２によって受信される。
【００３７】
さらに同時に、無線ネットワークエンティティ１０２はその送信手段１２８を使用してＭＣＥ１０４及び１０６にマッピング情報を提供する。それによって、マッピング情報はリソース参照及び無線リソースクォータを含み、リソース参照が無線リソースクォータに関連付けられる。次に、マッピング情報がＭＣＥ１０４及び１０６の受信手段１５２によって受信される。その直後、マッピング情報がＭＣＥ１０４及びＭＣＥ１０６のマッピングテーブル１５０内に格納される。
【００３８】
ＢＭ−ＳＣがセル１１６及び１１８内にあるユーザ装置１１２にＭＢＭＳサービスを提供することを決定したとき、ＢＭ−ＳＣ１００は要求をリソース参照（トークン）と共にＭＣＥ１０４及び１０６に送信する。その直後、マッピングテーブル１５０を使用して、ＭＣＥ１０２及び１０６は、どの無線リソースがマッピングテーブル１５０内の前記トークンに関連付けられるかを検索することができる。次に、構成手段１５４を使用して、ＭＣＥ１０４及び１０６はｅＮｏｄｅＢ１０８及び１１０内の前記無線リソースをスケジューリングする。ｅＮｏｄｅＢ１０８及び１１０が同一の無線リソースを使用するＭＢＭＳサービスの送信のために構成された後、ｅＮｏｄｅＢ１０８と１１０は共にＵＥ１１２にＭＢＭＳサービスコンテンツを同期式に送信することができる。
【００３９】
最後に、ＢＭ−ＳＣ１００のサービス提供手段１４０を使用して、ＢＭ−ＳＣ１００はｅＮｏｄｅＢ１０８及び１１０を介してセル１１６及び１１８内のユーザ装置１１２にＭＢＭＳサービスを送信する。
【００４０】
それと共に、セル１１６からセル１１８に移動するユーザ装置は同じＭＢＭＳ  ＳＦＮエリア内にとどまり、干渉の低減、従ってサービス品質の向上という利点を伴う。
【００４１】
図２は制御エンティティに無線リソースクォータを割り振る方法を示す流れ図を示す。ステップ２００で、無線リソース要求がサービスセンターから受信され、サービスセンターはブロードキャストサービス又はマルチキャストサービスを基地局に提供するように適合される。その直後、ステップ２０２で、受信された無線リソース要求を解析することによって無線リソースクォータが求められる。さらに、受信された無線リソース要求に応答して、ステップ２０２でリソース参照が発行される。ステップ２０４で、このリソース参照がサービスセンターに提供され、ステップ２０６で、リソース参照及び無線リソースクォータが共にＭＣＥに提供される。それによって、マッピング情報はリソース参照及び無線リソースクォータを含み、リソース参照が無線リソースクォータと関連付けられる。
【００４２】
図３は基地局にサービスを提供する方法を示す流れ図を示す。それによって、図２に示されるステップに関連して図３のステップを説明する。ステップ３００で、無線リソース要求がＥ−ＵＴＲＡＮオペレータ、即ち無線ネットワークエンティティに提供される。これは、図２ではステップ２００に対応し、ステップ２００では、その後に、この無線リソース要求がＥ−ＵＴＲＡＮオペレータによって受信される。図２のステップ２０４で提供されるリソース参照がステップ３０２でＥ−ＵＴＲＡＮオペレータから受信される。
【００４３】
ステップ３００及び３０２は、後続のステップ３０４及び３０６とは基本的には時間独立に、初期化段階で実施することのできるステップである。唯一の要件は、後のステップ３０４及び３０６を実施するために、ステップ３００及び３０２が前に実施されていることである。
【００４４】
ステップ３０４では、ＭＢＭＳサービスの送信を求める要求がＭＣＥに提供される。それによって、伝送を求める要求は前にステップ３０２で受信されたリソース参照を含む。次に、ＭＣＥは、サービスセンターによって提供される次のサービスの伝送のために、接続されるｅＮｏｄｅＢの無線リソースを調節及び構成することができる。それによって、ＭＣＥは図２のステップ２０６でＭＣＥに提供されたマッピング情報を使用することができる。
【００４５】
ステップ３０４で伝送からの要求をＭＣＥに提供した後、ステップ３０６で、サービスがそれぞれのｅＮｏｄｅＢ（複数可）に提供される。
【００４６】
図４は制御エンティティに無線リソースクォータを割り振る方法を示すスキームを示す。サービスセンターがＥ−ＵＴＲＡＮオペレータ１０２に無線リソース要求を提供する第１ステップはここでは図示されていない。しかし、そのような上記の第１ステップを仮定すると、ＢＭ−ＳＣ１００からＥ−ＵＴＲＡＮオペレータ１０２に提供された無線リソース要求に応答して、ステップ４００で、ＢＭ−ＳＣはＥ−ＵＴＲＡＮオペレータ１０２からリソース参照を受信する。この例では、ＢＭ−ＳＣ１００にリソース参照が提供され、このリソース参照にビットレートが関連付けられる。
【００４７】
リソース参照へのビットレートの付加により、Ｅ−ＵＴＲＡＮオペレータ１０２が多数の異なるリソース参照をそれぞれのビットレートで柔軟に発行することが可能となる。このようにして、ビットレートの各部分への分割をＢＭ−ＳＣ１００に提供することができる。これにより、ＢＭ−ＳＣ１００が最も適切なリソース参照−サービスを提供するのに使用するビットレート組合せを決定することが可能となる。
【００４８】
ステップ４００でリソース参照及び関連するビットレートをＢＭ−ＳＣ１００に提供することに加えて、ステップ４０２及び４０４で、Ｅ−ＵＴＲＡＮオペレータ１０２もそれぞれのマッピング情報をＭＣＥ１０４及びＭＣＥ１０６に提供する。それによって、ＭＣＥ１０４及び１０６に提供されるマッピング情報は同一である。これにより、ＭＣＥ１０４及び１０６に関連する基地局をＳＦＮ伝送モードで運用することが可能となり、ＳＦＮ伝送モードでは、ＭＣＥ１０４及び１０６によって調整される基地局が同一無線リソース割振りを使用して動作する。
【００４９】
従って、ステップ４０２及び４０４でＥ−ＵＴＲＡＮオペレータ１０２からＭＣＥ１０４及び１０６に提供されるマッピング情報はリソース参照を含み、無線伝送のために使用可能なリソース参照無線リソース割振り（ＲＢ、ＴＴＩ）及び物理層構成パラメータ（変調及び符合化方式、ＭＣＳ）に関連付けられる。
【００５０】
図５はＭＢＭＳセッションの開始を要求する方法を示すスキームを示す。ＢＭ−ＳＣ１００はＭＣＥ１０４及び１０６によって調整される基地局によってカバーされるサービスエリアにサービスを提供することを意図するので、ステップ４１０及び４１２で、ＢＭ−ＳＣ１００はＭＣＥ１０４及び１０６に同一のＭＢＭＳセッション開始要求を送信する。ＭＣＥ１０４及び１０６に同一のＭＢＭＳセッション開始要求を送信する代わりに、１つのＭＢＭＳセッション開始要求を制御プレーンゲートウェイ（ＣＰ−ＧＷ、ここでは図示せず）に送信することも可能であり、制御プレーンゲートウェイはそれ自体、ＭＣＥ１０４及び１０６に別のＭＢＭＳセッション開始要求をそれぞれ配布するように適合される。
【００５１】
それによって、ＭＢＭＳセッション開始要求はサービスを提供するためにＢＭ−ＳＣ１００が使用することを意図するリソース参照と、サービス、サービス品質（ＱｏＳ）、及びサービスを提供することが意図されるサービスエリアを識別する一時モバイルグループ識別（ＴＭＧＩ）とを含むことができる。ＭＢＭＳセッション開始要求を受信したことに応答して、ステップ４１４及び４１６で、ＭＣＥ１０４及び１０６は、ＭＢＭＳセッション開始要求を受信したことに応答して、ＭＢＭＳセッション開始応答を提供する。
【００５２】
図６は図５のより詳細な実施形態であるＭＣＥを構成する方法を示す別のスキームを示す。それによって、手順５００は所与のサービス、この例ではＴＭＧＩ＝１及びサービスエリア＝ＰＬＭＮであるサービスを提供するために１つのリソース参照が使用される基本的シナリオを示す。図５に示されるのと同様に、ステップ４１０及び４１２でＭＢＭＳセッション開始要求を提供した後、それに応答して、ＭＣＥ１０４及び１０６は、それぞれステップ５０２及び５０４で、ＭＣＥ１０４及び１０６に関連付けられ、ＭＢＭＳセッション開始要求で示されるサービスエリアをカバーするそれぞれの基地局に適用する必要のあるそれぞれの無線リソースをマッピングテーブル内で検索する。
【００５３】
手順５１０はＢＭ−ＳＣ１００が異なるサービス及び異なるサービスエリアにわたって所与のリソース参照（ＲｅｓＲｅｆ３）を同時にどのように共有することができるかについての可能性を示す。例えば、ステップ５１２で、ＢＭ−ＳＣ１００はＭＣＥ１０４にＭＢＭＳセッション開始コマンドを送信し、ＭＣＥ１０４自体は、ステップ５１６で、それぞれのリソース参照３に関連するそれぞれのリソースを検索する。同じことがＢＭ−ＳＣ１００からＭＣＥ１０６にサブミットされるステップ５１４でのＭＢＭＳセッション開始要求についても当てはまり、その結果、リソース参照３に関連する無線リソースを識別するためにＭＣＥ１０６のマッピングテーブルが検索される。
【００５４】
しかし、手順５００とは対照的に、ステップ５１２及び５１４でのＭＢＭＳセッション開始要求に含まれるサービスエリア（ＳＡＩ１）はリソース参照３が以前に発行された合計サービスエリアの一部だけをカバーする。従って、ステップ５２０及び５２２で、ＢＭ−ＳＣ１００は同一のリソース参照３を再利用して、別のサービス、この例ではＴＭＧＩ＝９の別のサービスを別のサービスエリア（ＳＡＩ２）に提供することができ、それによって、サービスエリアＳＡＩ２はサービスエリアＳＡＩ１と重複しない。しかし、ＳＡＩ１及びＳＡＩ２は共にリソース参照３が以前に発行されたサービスエリアの一部である。
【００５５】
ステップ５２０及び５２２に応答して、ステップ５２４及び５２６で、ＭＣＥ１０４及び１０６はそれぞれ、リソース参照３に関連するそれぞれの無線リソースの使用のために、サービスエリアＳＡＩ２に関連するそれぞれの基地局を構成する目的で、そのマッピングテーブル内でそれぞれのリソースを検索する。
【００５６】
手順５１０で示されるような複数のサービスエリアにわたる所与のリソース参照の共有に加えて、リソース参照が以前のサービスから割振り解除された後に、別のサービスのために時間の点でリソース参照を再利用することも可能である。このことが手順５３０に詳細に示されている。
【００５７】
手順５３０は手順５００が以前に適用されたことを仮定する。そのことは、実際にサービスエリアＰＬＭＮについてのＴＭＧＩ＝１のＭＢＭＳセッションがアクティブであることを意味する。しかし、ＢＭ−ＳＣ１００はこの現在行われているセッションを停止し、ＴＭＧＩ＝２の別のセッションのためにリソース参照１を再利用することを決定する。この目的で、ステップ５３２及び５３４で、ＢＭ−ＳＣ１００はＭＣＥ１０４及び１０６にＭＢＭＳセッションストップコマンドを送信し、それに応答して、ステップ５３６及び５３８で、ＭＣＥ１０４及び１０６は対応するリソースを解放する。リソース参照１は実際の期間について依然として有効であるので、ＢＭ−ＳＣ１００は同じリソース参照１及び同じサービスエリアＰＬＭＮを含むが、異なるＴＭＧＩ＝２を含む別のＭＢＭＳセッション開始要求をＭＣＥ１０４及び１０６に送信することを許可される。リソース参照１は時間の点で依然として有効であるので、それに応答して、ステップ４４４及び４４６で、ＭＣＥ１０４及び１０６はリソース参照１に関連するリソースを割り振る。この割振りの後、ＴＭＧＩ＝２のＭＢＭＳセッションの伝送を開始することができる。
【００５８】
ＭＣＥ１０４又は１０６がセッション開始メッセージで無線リソース参照を受信する場合、ＭＣＥ１０４又は１０６は事前構成されたマッピング規則に従ってリソースを割り振ることに留意されたい。しかし、セッション開始が無線リソース参照を含まない場合、ＭＣＥは利用可能なリソースからリソースを自律的に割り振る。
【００５９】
さらに、ＭＣＥが各基地局（ｅＮｏｄｅＢ）と共に配置される場合、ＭＣＥが別々のノードの一部となるかのように同じ規則が当てはまることにも触れておく。
【００６０】
図７はリソース参照のツリー構造の編成を示すスキームを示す。柔軟な帯域幅割振りを可能にするために、無線ネットワークエンティティはサービスセンターから無線リソース要求を受信することに応答して、いくつかのリソース参照を割り振ることができる。例えば、図７に示されるシナリオでは、サービスセンターからの無線リソース要求はビットレート値１０００でのサービスの伝送を求める要求を含むことができる。この目的で、無線ネットワークエンティティは番号１及びビットレート値１０００のリソース参照を発行した。次に、このリソース参照がサービスセンターに提供された。
【００６１】
しかし、サービスセンターが後で、高ビットレート１０００の１つのサービスではなく、より低いビットレートの複数のサービスを提供するために、ビットレート値１０００のそのリソース参照をより小さい部分に分割することを好むことがあるので、無線ネットワークエンティティはリソース参照に関連する無線リソースクォータを１組の無線リソースクォータ部分に分割し、その１組の無線リソースクォータ部分の各無線リソースクォータ部分がビットレート１０００の帯域幅の帯域幅部分に関連付けられる。
【００６２】
この結果、リソース参照番号７０２及びそれぞれのビットレートにすべて帰属する個々のノード７０４からなる図７に示される三角形のツリー構造が得られる。リソース参照が使用された後は、その子リソース参照及びその親リソース参照はどちらももはや利用可能ではないのに対して、他のすべてのリソース参照は依然として利用可能である。例えば、リソース参照２が使用される場合、リソース参照６及び７（あるいは、リソース参照３のみ）は依然として利用可能である。
【００６３】
上記から理解できるように、リソース参照２及び３のビットレートの加算の結果、親リソース参照１が有するビットレートよりも小さい値が得られる。その理由は、より低いビットレートの２つのサービスを提供することは、より高いビットレートの１つのサービスのみを提供するよりも多くのシグナリングを必要とすることである。より低いビットレート値は、このより高いシグナリングの出現を考慮に入れている。
【符号の説明】
【００６４】
１００  ＢＭ−ＳＣ
１０２  無線ネットワークエンティティ
１０４  ＭＣＥ
１０６  ＭＣＥ
１０８  ｅＮｏｄｅＢ
１１０  ｅＮｏｄｅＢ
１１２  ＵＥ
１１６  セル
１１８  セル
１２０  サービスエリア
１２２  プロセッサ
１２４  メモリ
１２６  モジュール
１２８  送信手段
１３０  受信手段
１３２  プロセッサ
１３４  メモリ
１３６  モジュール
１３８  要求手段
１４０  サービス提供手段
１４２  トークン受信手段
１４４  プロセッサ
１４６  メモリ
１４８  モジュール
１５０  マッピングテーブル
１５２  受信手段
１５４  構成手段
７０２  リソース参照番号
７０４  ノード
【図１】
2010536209.tif 000003
【図２】
2010536209.tif 000004
【図３】
2010536209.tif 000005
【図４】
2010536209.tif 000006
【図５】
2010536209.tif 000007
【図６】
2010536209.tif 000008
【図７】
2010536209.tif 000009
【国際調査報告】
2010536209.tif 000010
2010536209.tif 000011